(57)【特許請求の範囲】
【請求項１】
予め決められた位置に所定のパターン情報が表示された切り離し予定部が設けられたシートから、前記切り離し予定部を切り離す断裁装置であって、
前記シートが傾斜した状態で載置される載置部と、
前記載置部に対向して設けられ、前記切り離し予定部の外形と同一の形状の孔部を具備する保持プレートと、
前記切り離し予定部と同一の外形を具備し、前記載置部と前記保持プレートとの間に形成されるシート保持領域に前記載置部側から突出して前記孔部に嵌合することで前記シート保持領域に保持されたシートから前記切り離し予定部を切り離す断裁刃と、
前記保持プレートの前記シート保持領域とは反対側に前記孔部に対向して前記保持プレートに対して空隙を介して重なるように設けられ、前記シート保持領域に保持されたシートの切り離し予定部と前記孔部とが重なった状態における前記所定のパターン情報の位置を指示する位置合わせ情報が表示された透明板とを有し、
前記透明板は、当該透明板の端辺のうち下側の端辺に沿う領域以外の部分にて前記保持プレートに固定され、
前記断裁刃は、前記孔部に嵌合した際に前記保持プレートの上面から突出する位置まで移動可能となっている、断裁装置。
【請求項２】
請求項１に記載の断裁装置において、
前記保持プレートは、前記孔部の外周となる部分のうち下側の端辺及びそれに隣接する領域に、前記載置部とは反対側の方向に向かうにつれて前記孔部の大きさが広がるようなテーパー部が設けられている、断裁装置。
【請求項３】
請求項１または請求項２に記載の断裁装置において、
前記載置部は、前記シートが前記シート保持領域に保持された状態にて当該シートの下側の端辺に当接する固定ガイドを有する、断裁装置。
【請求項４】
請求項３に記載の断裁装置において、
前記シート保持領域に前記シートをスライド挿入するシート挿入口と、
前記シート挿入口に対して前記シート保持領域とは反対側に設けられ、前記シートが前記シート挿入口から前記シート保持領域にスライド挿入されていく際に前記シートの下側の端辺に当接する案内ガイドとを有する、断裁装置。
【発明の詳細な説明】
【技術分野】
【０００１】
本発明は、予め決められた位置に所定のパターン情報が表示された切り離し予定部が設けられたシートから、切り離し予定部を切り離す断裁装置に関する。
【背景技術】
【０００２】
マイナンバー制度の採用により、マイナンバーが表示された通知カードが国民一人一人に送付されている。通知カードは、個人番号カード交付申請書兼電子証明書発行申請書と一体となった１枚のシートとして郵送され、受取人が、このシートから通知カードを切り離して使用することとなる。
【０００３】
ところが、郵送されてきたシートから通知カードを切り離す作業が面倒であることを理由として、通知カードをシートから切り離さずに役所の窓口に持ち込む者が多くなることが予想される。その場合、役所の窓口にて通知カードをシートから切り離すこととなるが、特に来所者が多い場合、窓口業務が煩雑となってしまう。
【０００４】
ここで、ラミネート処理されたテレホンカードの周囲の余分部分を切断する技術が、特許文献１に開示されている。この技術においては、テレホンカードと同一形状の断裁刃が設けられた支持板上にテレホンカードを載置し、押さえ板でテレホンカードを押さえながら上方から圧力を加えることでテレホンカードの周囲の余分部分を切断することができる。テレホンカードの位置決めは、断裁刃とテレホンカードとの相対位置を目視で確認することによって行うこととなる。
【０００５】
このような技術を用いることで、通知カードのような切り離し予定部が設けられたシートから切り離し予定部を簡単に切り離すことができるようになるとも考えられる。
【先行技術文献】
【特許文献】
【０００６】
【特許文献１】実開昭６３−１７６１００号公報
【発明の概要】
【発明が解決しようとする課題】
【０００７】
特許文献１に開示された技術においては、支持板上にシートを載置した場合、断裁刃はシート下に位置することとなるため、シートがテレホンカードをラミネートしたフィルム等の透明部材ではない場合、切り離し予定部と断裁刃との相対位置を目視で確認することができない。そこで、特許文献１に記載された技術においては、支持板を透明な材料から構成し、支持板を持ち上げてその相対位置を確認することができるようになっている。
【０００８】
しかしながら、シートが載置された支持板を持ち上げて切り離し予定部と断裁刃との相対位置を確認する作業は手間がかからないとは言い難く、また、シートが支持板上にて位置合わせをした位置からずれてしまう等の問題点が生じてしまう。また、切り離し予定部をシートから切り離した後、押さえ板をシート上から取り除く等、手間がかかってしまうという問題点がある。
【０００９】
本発明は、上述したような従来の技術が有する問題点に鑑みてなされたものであって、予め決められた位置に所定のパターン情報が表示された切り離し予定部が設けられたシートから、切り離し予定部を正確にかつ容易に切り離すことができる断裁装置を提供することを目的とする。
【課題を解決するための手段】
【００１０】
上記目的を達成するために本発明は、
予め決められた位置に所定のパターン情報が表示された切り離し予定部が設けられたシートから、前記切り離し予定部を切り離す断裁装置であって、
前記シートが傾斜した状態で載置される載置部と、
前記載置部に対向して設けられ、前記切り離し予定部の外形と同一の形状の孔部を具備する保持プレートと、
前記切り離し予定部と同一の外形を具備し、前記載置部と前記保持プレートとの間に形成されるシート保持領域に前記載置部側から突出して前記孔部に嵌合することで前記シート保持領域に保持されたシートから前記切り離し予定部を切り離す断裁刃と、
前記保持プレートの前記シート保持領域とは反対側に前記孔部に対向して前記保持プレートに対して空隙を介して重なるように設けられ、前記シート保持領域に保持されたシートの切り離し予定部と前記孔部とが重なった状態における前記所定のパターン情報の位置を指示する位置合わせ情報が表示された透明板とを有し、
前記透明板は、当該透明板の端辺のうち下側の端辺に沿う領域以外の部分にて前記保持プレートに固定され、
前記断裁刃は、前記孔部に嵌合した際に前記保持プレートの上面から突出する位置まで移動可能となっている。
【００１１】
上記のように構成された本発明においては、予め決められた位置に所定のパターン情報が表示された切り離し予定部が設けられたシートが、載置部と保持プレートとの間に形成されるシート保持領域に保持された状態で、載置部側から断裁刃がシート保持領域に突出して保持プレートの孔部に嵌合すると、孔部と断裁刃の外形がそれぞれ切り離し予定部の外形と同一であることから、シートが切り離し予定部の形状に切り抜かれる。この際、保持プレートのシート保持領域とは反対側には、孔部に対向して透明板が設けられているが、この透明板には、シート保持領域に保持されたシートの切り離し予定部と孔部とが重なった状態における、切り離し予定部に表示された所定のパターン情報の位置を指示する位置合わせ情報が表示されているので、切り離し予定部に表示されたパターン情報の位置が、透明板に表示された位置合わせ情報によって指示される位置となった状態で断裁刃によってシートを切り抜くことで、切り離し予定部が正確にシートから切り離されることになる。シートから切り離された切り離し予定部は、シートが傾斜した状態となっているとともに、透明板の下側の端辺が保持プレートに固定されていないことにより、保持プレートと透明板との間から下方に滑り落ちることとなる。
【００１２】
このように、切り離し予定部が設けられたシートをシート保持領域に保持し、切り離し予定部に表示されたパターン情報の位置が、透明板に表示された位置合わせ情報によって指示される位置となった状態で断裁刃を載置部側からシート保持領域に突出させるだけで、シートから切り離し予定部を正確にかつ容易に切り離すことができる。
【００１３】
また、シートがシート保持領域に保持された状態にてシートの下側の端辺に当接する固定ガイドを載置部に設ければ、シートの下側の端辺を固定ガイドに当接させることによっても、断裁刃と切り離し予定部との位置合わせを容易に行うことができる。
【００１４】
また、シート保持領域にシートをスライド挿入するシート挿入口を有する構成においては、シート挿入口に対してシート保持領域とは反対側に、シートがシート挿入口からシート保持領域にスライド挿入されていく際にシートの下側の端辺に当接する案内ガイドを設ければ、案内ガイドに当接させながらシートをシート挿入口からシート保持領域に挿入していくことで、シートが下方向にずれたり斜めになったりすることなく、シートをシート保持領域にスライド挿入していくことができる。
【発明の効果】
【００１５】
本発明によれば、切り離し予定部が設けられたシートをシート保持領域に保持し、切り離し予定部に表示されたパターン情報の位置が、透明板に表示された位置合わせ情報によって指示される位置となった状態で断裁刃を載置部側からシート保持領域に突出させるだけで、予め決められた位置に所定のパターン情報が表示された切り離し予定部が設けられたシートから、切り離し予定部を正確にかつ容易に切り離すことができる。
【００１６】
また、載置部が、シート保持領域に保持されたシートの切り離し予定部と孔部とが重なった状態にてシートの端辺のうち少なくとも隣接する２つの端辺に当接する固定ガイドを有するものにおいては、シートの２つの端辺を固定ガイドに当接させることによっても、断裁刃と切り離し予定部との位置合わせを容易に行うことができる。
【００１７】
また、シート保持領域にシートをスライド挿入するシート挿入口と、シート挿入口に対してシート保持領域とは反対側に設けられ、シートがシート挿入口からシート保持領域にスライド挿入されていく際にシートの下側の端辺に当接する案内ガイドとを有するものにおいては、案内ガイドに当接させながらシートをシート挿入口からシート保持領域に挿入していくことで、シートが下方向にずれたり斜めになったりすることなく、シートをシート保持領域にスライド挿入していくことができる。
【図面の簡単な説明】
【００１８】
【図１】本発明の断裁装置にて断裁されるシートの一例を示す図である。
【図２】本発明の断裁装置の実施の一形態を示す外観斜視図である。
【図３】図２に示した断裁装置を透明板に対向する方向から見た図であり、（ａ）は外観図、（ｂ）は透明板及び保持プレートを取り除いた図である。
【図４】図２に示した断裁装置の要部を側面から見た図である。
【図５】図２〜図４に示した断裁装置のシート保持領域に図１に示した通知シートを保持する方法を説明するための図であり、（ａ），（ｂ）は断裁装置１を透明板に対向する方向から見た外観図、（ｃ）は透明板及び保持プレートを取り除いた図である。
【図６】図２〜図４に示した断裁装置のシート保持領域に保持された通知シートから通知カードを切り離す方法を説明するための図である。
【図７】図２〜図４に示した断裁装置によって通知カードが切り離された通知シートをシート保持領域から取り除く方法を説明するための図である。
【図８】図２〜図８に示した断裁装置における通知シートが小さな場合の通知カードの切り離し方法を説明するための図であり、断裁装置を透明板に対向する方向から見た外観図である。
【発明を実施するための形態】
【００１９】
以下に、本発明の実施の形態について図面を参照して説明する。
【００２０】
まず、本発明の断裁装置にて断裁されるシートについて説明する。
【００２１】
図１は、本発明の断裁装置にて断裁されるシートの一例を示す図である。
【００２２】
本発明の断裁装置にて断裁されるシートとしては、例えば、図１に示すように、切り離し予定部となる通知カード１１０が切り離し線１４０によって区画形成され、他の領域が申請書部１２０となった通知シート１００が考えられる。通知カード１１０には、予め決められた位置に所定のパターン情報を外形とする備考記入欄１３０が表示されている。
【００２３】
次に、図１に示した通知シート１００から通知カード１１０を切り離す断裁装置について説明する。
【００２４】
図２は、本発明の断裁装置の実施の一形態を示す外観斜視図であり、図１に示した通知シート１００から通知カード１１０を断裁するものである。図３は、図２に示した断裁装置１を透明板３１に対向する方向から見た図であり、（ａ）は外観図、（ｂ）は透明板３１及び保持プレート２２を取り除いた図である。図４は、図２に示した断裁装置１の要部を側面から見た図であり、一部断面を示す。
【００２５】
本形態における断裁装置は図１〜図３に示すように、傾斜面を有する台座部１１の傾斜面に、載置プレート２１と保持プレート２２と透明板３１とがこの順で互いに重ね合わされた状態で、載置プレート２１が最も傾斜面側となるように設けられて構成されている。
【００２６】
台座部１１は、固定ビス２６ａ〜２６ｄによって載置プレート２１及び保持プレート２２を保持しており、側面に取り付けられたレバー１２が操作されることで載置プレート２１及び保持プレート２２を載置プレート２１側の方向に移動させる。レバー１２は、回転軸１３によって回転自在に取り付けられており、台座部１１に内蔵されたカム機構（不図示）によって回転運動を傾斜面の法線方向の運動に変位させ、手前に回転した場合に、載置プレート２１及び保持プレート２２を載置プレート２１側の方向に移動させる。レバー１２は、載置プレート２１及び保持プレート２２が、固定ビス２６ａ〜２６ｄと同軸で設けられたコイル状のばね１５によって保持プレート２２側の方向に付勢されていることにより、奥側に回転する復元力を有しており、復元した停止位置にストッパー１４が取り付けられている。また、台座部１１は、傾斜面に断裁刃４０が内蔵されており、通知カード１１０と同一の外形を具備している。
【００２７】
載置プレート２１は、本発明における載置部となるものであって、台座部１１の傾斜面に設けられることで、通知シート１００が傾斜した状態で載置される。載置プレート２１は、通知カード１１０の外形と同一の形状の孔部２４を有しており、この孔部２４が、断裁刃４０と対向するように、台座部１１の傾斜面に取り付けられている。載置プレート２１には、保持プレート２２と対向する面に、３つのライン状の固定ガイド２３ａ〜２３ｃが設けられている。固定ガイド２３ａは、通知シート１００が後述するシート保持領域２９に保持されている状態にて通知シート１００の下側の端辺に当接し、固定ガイド２３ｂは、通知シート１００がシート保持領域２９に保持されている状態にて、通知シート１００の下側の端辺に隣接する端辺のうち、通知シート１００が後述するシート挿入口２８からシート保持領域２９にスライド挿入される際の先端側の端辺に当接する。固定ガイド２３ｃは、固定ガイド２３ａと対向して設けられているものの、通知シート１００がシート保持領域２９に保持されている状態にて通知シート１００の上側の端辺には当接せず、通知シート１００の上側の端辺との間に空隙が生じる位置に設けられている。
【００２８】
保持プレート２２は、載置プレート２１と同一の外形を有し、載置プレート２１に対して空隙を介して重ね合わされることで、載置プレート２１との間に、通知シート１００を保持するシート保持領域２９を形成する。保持プレート２２は、通知カード１１０の外形と同一の形状の孔部２５を有しており、この孔部２５が、断裁刃４０と対向するように台座部１１の傾斜面に取り付けられている。保持プレート２２の孔部２５の外周となる部分のうち下側の端辺及びそれに隣接する領域には、載置プレート２１とは反対側の方向に向かうにつれて孔部２５の大きさが広がるようなテーパー部２７が設けられている。
【００２９】
保持プレート２２の載置プレート２１とは反対側の面には、透明板３１が取り付けられている。透明板３１は、保持プレート２２に対して空隙を介して重なるように、上側の端辺に沿う領域にて固定ビス３３ａ，３３ｂによって保持プレート２２に取り外し可能に固定されている。透明板３１は、孔部２５を覆う大きさを有し、孔部２５と対向するように保持プレート２２に取り付けられている。透明板３１には、シート保持領域２９に保持された通知シート１００の通知カード１１０と孔部２４，２５とが重なった状態にて備考記入欄１３０に対向する位置に備考記入欄１３０の外形と同一形状の位置合わせマーク３２が表示されている。
【００３０】
載置プレート２１と保持プレート２２との間に形成されたシート保持領域２９には、固定ガイド２３ｂとは反対側がシート挿入口２８となって通知シート１００がスライド挿入されることになるが、台座部１１には、シート挿入口２８に対してシート保持領域２９とは反対側の側面にガイド板５１が取り付けられている。ガイド板５１は、その上面が、載置プレート２１の通知シート１００の載置面の延長面となっており、下側の端辺に沿う領域に、通知シート１００がシート挿入口２８からシート保持領域２９にスライド挿入されていく際に通知シート１００の下側の端辺に当接するビス状の案内ガイド５２ａ，５２が設けられている。
【００３１】
以下に、上記のように構成された断裁装置１を用いて通知シート１００から通知カード１１０を切り離す方法について説明する。
【００３２】
まず、通知シート１００を断裁装置１のシート保持領域２９に保持する方法について説明する。
【００３３】
図５は、図２〜図４に示した断裁装置１のシート保持領域２９に図１に示した通知シート１００を保持する方法を説明するための図であり、（ａ），（ｂ）は断裁装置１を透明板３１に対向する方向から見た外観図、（ｃ）は透明板３１及び保持プレート２２を取り除いた図である。
【００３４】
図１に示した通知シート１００から通知カード１１０を切り離すために、通知シート１００を断裁装置１のシート保持領域２９に保持する場合、図５（ａ）に示すように、通知シート１００をシート挿入口２８からガイド板５１上をスライドさせながらシート保持領域２９に挿入していく。この際、通知シート１００の下側の端辺を案内ガイド５２ａ，５２ｂに当接させながらシート保持領域２９に挿入していくことで、通知シート１００がシート保持領域２９に対して、下方向にずれたり斜めになったりすることなく挿入していくことができる。また、載置プレート２１に設けられた固定ガイド２３ａは通知シート１００の下側の端辺に当接するものの、固定ガイド２３ａに対向する固定ガイド２３ｃは、通知シート１００の上側の端辺には当接せず、通知シート１００の上側の端辺との間に空隙が生じる位置に設けられていることによって、シート挿入口２８に遊びが生じており、それにより、通知シート１００をシート保持領域２９に挿入しやすくなっている。さらに、載置プレート２１の孔部２４と保持プレート２２の孔部２５とが互いに重なっており、この孔部２４，２５に対向する領域に断裁刃４０が存在するものの、孔部２４，２５が透明板３１によって覆われているため、孔部２４，２５から指等が入って怪我をしてしまうことを回避できる。
【００３５】
通知シート１００をシート挿入口２８からシート保持領域２９に挿入していくと、図５（ｃ）に示すように、通知シート１００の挿入方向先端側の端辺が、載置プレート２１に設けられた固定ガイド２３ｂに当接する。この状態においては、載置プレート２１上に通知シート１００が傾斜して載置された状態となっているため、通知シート１００は、その下側の端辺が固定ガイド２３ａに当接し、挿入方向先端側の端辺が固定ガイド２３ｂに当接している。すなわち、シート保持領域２９に保持された通知シート１００は、固定ガイド２３ａによって、シート保持領域２９から下方に滑り落ちることが回避されている。また、通知シート１００は、下方の端辺が案内ガイド５２ａ，５２ｂに当接することによっても、下方に滑り落ちることが回避されている。
【００３６】
固定ガイド２３ａ，２３ｂは、通知シート１００がシート保持領域２９に保持されて通知カード１１０が載置プレート２１の孔部２４及び保持プレート２２の孔部２５に重なった状態において、固定ガイド２３ａが通知シート１００の下側の端辺に当接し、固定ガイド２３ｂが、通知シート１００のシート保持領域２９への挿入方向先端側の端辺に当接するように設けられているため、固定ガイド２３ａが通知シート１００の下側の端辺に当接し、固定ガイド２３ｂが、通知シート１００のシート保持領域２９への挿入方向先端側の端辺に当接すると、図５（ｂ）に示すように、通知カード１１０が載置プレート２１の孔部２４及び保持プレート２２の孔部２５に重なった状態となる。
【００３７】
また、シート保持領域２９にて保持された通知シート１００の通知カード１１０が、透明板３１を介して視認可能な状態となっているが、透明板３１には、シート保持領域２９に保持された通知シート１００の通知カード１１０と載置プレート２１の孔部２４及び保持プレート２２の孔部２５とが重なった状態において通知カード１１０に表示された備考記入欄１３０に対向する位置に備考記入欄１３０の外形と同一形状の位置合わせマーク３２が表示されているため、透明板３１に表示された位置合わせマーク３２と通知カード１１０に表示された備考記入欄１３０の外形とが重なっているかどうかを判断することで、通知カード１１０と載置プレート２１の孔部２４及び保持プレート２２の孔部２５とが重なっていることを確認することができる。
【００３８】
次に、断裁刃４０によって通知シート１００から通知カード１１０を切り離す方法について説明する。
【００３９】
図６は、図２〜図４に示した断裁装置１のシート保持領域２９に保持された通知シート１００から通知カード１１０を切り離す方法を説明するための図であり、断裁装置１の要部を側面から見た図である。
【００４０】
図６（ａ）に示すように、通知シート１００が上記のようにしてシート保持領域２９に保持された状態において、レバー１２を手前に回転するように操作すると、載置プレート２１及び保持プレート２２が載置プレート２１側の方向に移動する。すると、載置プレート２１の孔部２５に対向する領域には、断裁刃４０が設けられているため、断裁刃４０が載置プレート２１側から突出して孔部２４，２５に嵌合することとなる。
【００４１】
そして、孔部２４，２５には載置プレート２１上に載置された通知シート１００の通知カード１１０が重なっているため、断裁刃４０が保持プレート２２の孔部２５の外周の部分と噛み合うことで、図６（ｂ）に示すように、切り離し線１４０が断裁されて通知カード１１０が通知シート１００から切り離されることとなる。
【００４２】
通知カード１１０が通知シート１００から切り離されると、通知カード１１０は断裁刃４０上に傾斜して載置されたような状態となるが、固定ガイド２３ａに当接していないことから、保持プレート２２と透明板３１との間にて下方に滑り落ちはじめ、さらに、透明板３１の下側の端辺が保持プレート２２に固定されていないことにより、図６（ｃ）に示すように、保持プレート２２と透明板３１との間から下方に滑り落ちることとなる。この際、保持プレート２２の孔部２５の外周となる部分のうち下側の端辺及びそれに隣接する領域に、載置プレート２１とは反対側の方向に向かうにつれて孔部２５の大きさが広がるようなテーパー部２７が設けられているため、断裁刃４０が保持プレート２２の透明板３１側の面よりも透明板３１側に完全に突出しなくても、通知カード１１０が下方に滑り落ちやすくなっている。
【００４３】
通知カード１１０を通知シート１００から切り離した後、レバー１２を元の状態に戻すと、載置プレート２１及び保持プレート２２が保持プレート２２側の方向に移動して元の位置に戻る。
【００４４】
このように、通知カード１１０が設けられた通知シート１００をシート保持領域２９に保持し、通知カード１１０に表示された備考記入欄１３０の外形と、透明板３１に表示された位置合わせマーク３２とが重なった状態で断裁刃４０を載置プレート２１側からシート保持領域２９に突出させるだけで、通知シート１００から通知カード１１０を正確にかつ容易に切り離すことができる。
【００４５】
また、透明板３１が、固定ビス３３ａ，３３ｂによって保持プレート２２に取り外し可能に固定されているため、異なるデザインの通知カードを通知シートから切り離す場合、透明板３１を、そのデザインに応じた位置に位置合わせマークが表示されたものに取り換えることで、様々なデザインの通知カードに対応することができる。
【００４６】
次に、通知カード１１０が切り離された通知シート１００をシート保持領域２９から取り除く方法について説明する。
【００４７】
図７は、図２〜図４に示した断裁装置１によって通知カード１１０が切り離された通知シート１００をシート保持領域２９から取り除く方法を説明するための図であり、断裁装置１を透明板３１に対向する方向から見た外観図である。
【００４８】
上記のようにして通知シート１００から通知カード１１０が切り離された状態においても、申請書部１２０は、その下側の端辺が固定ガイド２３ａに当接していることによって、図７（ａ）に示すように、シート保持領域２９から下方に滑り落ちることが回避されている。また、申請書部１２０は、下方の端辺が案内ガイド５２ａ，５２ｂに当接することによっても、下方に滑り落ちることが回避されている。
【００４９】
この状態から、申請書部１２０を、通知シート１００をシート保持領域２９に挿入した方向とは反対方向に引き抜くことにより、図７（ｂ）に示すように、通知カード１１０が切り離された通知シート１００をシート保持領域２９から容易に取り除くことができる。
【００５０】
ここで、上述したような通知シート１００から申請書部１２０を切り離した後に通知カード１１０を切り離す場合や、通知シート１００自体の大きさが、通知シート１００をシート保持領域２９に保持した場合に通知シート１００が保持プレート２２のシート挿入口２８側からはみ出さないものである場合がある。その場合、通知シート１００から通知カード１１０を切り離した後、通知カード１１０を切り離した通知シート１００を上述したようにシート保持領域２９から取り除くことが困難となってしまうこととなる。
【００５１】
以下に、通知シートが小さな場合の通知カード１１０の切り離し方法について説明する。
【００５２】
図８は、図２〜図８に示した断裁装置１における通知シートが小さな場合の通知カード１１０の切り離し方法を説明するための図であり、断裁装置１を透明板３１に対向する方向から見た外観図である。
【００５３】
シート保持領域２９に保持された場合に保持プレート２２のシート挿入口２８側からはみ出さない程度の大きさの通知シートから通知カード１１０を切り離す場合は、図８（ａ）に示すように、通知カード１１０のシート保持領域２９への挿入方向後端側の端辺に、通知カード１１０とその周囲の枠部１６０に跨って付箋１７０を剥離可能に貼着する。この際、付箋１７０の貼着部分が、通知カード１１０と枠部１６０とに跨る必要がある。
【００５４】
そして、上記同様にして通知シートをシート保持領域２９にスライド挿入し、図８（ｂ）に示すように、通知カード１１０の備考記入欄１３０の外形と透明板３１の位置合わせマーク３２とを重ね合わせる。その際、通知シートに貼着された付箋１７０が保持プレート２２のシート挿入口２８側からはみ出している。その状態にて、上記同様に、レバー１２を操作して通知カード１１０を通知シートから切り離す。これにより、通知カード１１０を通知シートから正確に切り離すことができる。なお、通知シートの下側及びシート保持領域２９への挿入方向先端側の端辺と通知カード１１０との相対位置が、上述したように、固定ガイド２３ａ，２３ｂと位置合わせマーク３２との相対位置と同一のものであれば、上記同様に、通知シートの端辺が固定ガイド２３ａ，２３ｂに当接した状態で、レバー１２を操作して通知カード１１０を通知シートから切り離すことによっても、通知カード１１０を通知シートから正確に切り離すことができる。
【００５５】
その後、通知カード１１０が切り離された通知シートの枠部１６０が、保持プレート２２のシート挿入口２８側からはみ出ていないものの、通知シート１６０に貼着された付箋１７０が、保持プレート２２のシート挿入口２８側からはみ出しているため、図８（ｃ）に示すように、付箋１７０を、通知シートをシート保持領域２９に挿入した方向とは反対方向に引き抜くことにより、通知カード１１０が切り離された通知シートの枠部１６０をシート保持領域２９から容易に取り除くことができる。
【００５６】
なお、本形態においては、透明板３１が、保持プレート２２に対して空隙を介して重なるように、上側の端辺に沿う領域にて固定ビス３３ａ，３３ｂによって保持プレート２２に取り外し可能に固定されているが、下側の端辺に沿う領域以外の部分にて保持プレート２２に固定されていれば、保持プレート２２との間に空隙を介さない構成であってもよい。
【００５７】
また、本形態においては、透明板３１の、シート保持領域２９に保持された通知シート１００の通知カード１１０と孔部２４，２５とが重なった状態にて備考記入欄１３０に対向する位置に備考記入欄１３０の外形と同一形状の位置合わせマーク３２が表示されており、通知カード１１０に表示された備考記入欄１３０の外形と、透明板３１に表示された位置合わせマーク３２とが重なった状態で、断裁刃４０によって通知シート１００から通知カード１１０を切り離すものであるが、位置合わせマークとしては、透明板３１の、シート保持領域２９に保持された通知シート１００の通知カード１１０と孔部２４，２５とが重なった状態にて備考記入欄１３０の外形の四隅に重なる位置に表示されたものや、備考表示欄１３０の隣接する２辺にそれぞれ向かっていき、その先端が２辺に当接するような位置及び形状で表示された２本の矢印等であってもよく、いずれの位置合わせマークも、シート保持領域２９に保持された通知シート１００の通知カード１１０と孔部２４，２５とが重なった状態における、備考記入欄１３０の外形部分の位置を指示する位置合わせ情報となる。
【００５８】
また、載置プレート２１に、通知シート１００がシート保持領域２９に保持されている状態にて通知シート１００の下側の端辺に当接する固定ガイド２３ａと、通知シート１００がシート保持領域２９に保持されている状態にて、通知シート１００の下側の端辺に隣接する端辺のうち、通知シート１００がシート挿入口２８からシート保持領域２９にスライド挿入される際の先端側の端辺に当接する固定ガイド２３ｂとが設けられているが、通知シート１００がシート保持領域２９に保持されて通知カード１１０と孔部２４，２５とが重なった状態にて通知シート１００の端辺のうち少なくとも隣接する２つの端辺に当接する固定ガイドを設ければよい。ただし、通知シート１００の下側の端辺に当接する固定ガイドを設けない場合は、通知シート１００がシート保持領域２９に保持されている状態にて通知シート１００がシート保持領域２９から滑り落ちないようにする構成が必要となる。また、通知シート１００がシート挿入口２８からシート保持領域２９にスライド挿入される際の先端側の端辺に当接する固定ガイドを設けない場合は、位置合わせマークのみによって、通知カード１１０の位置合わせを行うこととなる。
【符号の説明】
【００５９】
１    断裁装置
１１    台座部
１２    レバー
１３    回転軸
１４    ストッパー
１５    ばね
２１    載置プレート
２２    保持プレート
２３ａ〜２３ｃ    固定ガイド
２４，２５，１５０    孔部
２６ａ〜２６ｄ，３３ａ，３３ｂ    固定ビス
２７    テーパー部
２８    シート挿入口
２９    シート保持領域
３１    透明板
３２    位置合わせマーク
４０    断裁刃
５１    ガイド板
５２ａ，５２ｂ    案内ガイド
１００    通知シート
１１０    通知カード
１２０    申請書部
１３０    備考記入欄
１４０    切り離し線
１６０    枠部
１７０    付箋
【図１】
0006654471.tif 000002
【図２】
0006654471.tif 000003
【図３】
0006654471.tif 000004
【図４】
0006654471.tif 000005
【図５】
0006654471.tif 000006
【図６】
0006654471.tif 000007
【図７】
0006654471.tif 000008
【図８】
0006654471.tif 000009